(57)【要約】  【課題】  壁掛けテレビのヒンジ部の部品点数を少なくするとともに、左右方向の角度調整の操作を容易にする。  【解決手段】  テレビ本体４の背面の左右端に、回転軸方向を垂直にして、断面略円形であって一端にブラケット１８，２８，３８，４８を備えた軸部１７，２７，３７，４７と、これら軸部に合致する略半円範囲の軸受け部１５，２５，３５，４５とからなるヒンジを備え、これら軸部と軸受け部の両方を磁石とし、または軸部と軸受け部の一方を磁石とし他方を磁性金属として着脱自在とし、前記ヒンジを介してテレビ本体４を壁面Ｗに取り付ける。ここで、前記ヒンジは、テレビ本体４の背面の左右端それぞれの上部と下部に回転軸を一致させて配設する。【選択図】  図１
2007335929.tif 000002
【特許請求の範囲】
【請求項１】
本体背面の左右端に、回転軸方向を垂直にして、断面略円形であって一端にブラケット部を備えた軸部と、該軸部に合致する略半円範囲の軸受け部とからなるヒンジを備え、前記軸部と軸受け部の両方を磁石とし、または前記軸部と軸受け部の一方を磁石とし他方を磁性金属として着脱自在とし、前記ヒンジを介して本体を壁面に取り付けることを特徴とした壁掛けテレビ。
【請求項２】
請求項１に記載の壁掛けテレビにおいて、
前記ヒンジは、本体背面の左右端それぞれの上部と下部に回転軸を一致させて配設したことを特徴とする壁掛けテレビ。
【請求項３】
請求項１または２に記載の壁掛けテレビにおいて、
前記ヒンジの本体側と反対に位置する前記軸部または前記軸受け部に、壁面に当接して固定されるベース板を一体的に取り付けたことを特徴とする壁掛けテレビ。
【請求項４】
請求項１乃至３のいずれかに記載の壁掛けテレビにおいて、
前記軸受け部の上端または下端に、前記軸部からのスラスト荷重を受ける盲板を設けたことを特徴とする壁掛けテレビ。
【発明の詳細な説明】
【技術分野】
【０００１】
本発明は、壁掛けテレビに関し、詳しくはテレビの背面の左右端に、１対の着脱自在なヒンジを取り付けて、左右方向の角度調整範囲を大きくした壁掛けテレビに関する。
【背景技術】
【０００２】
従来、液晶テレビ等の薄型テレビは、その薄型で軽量である特徴をいかして、壁に取り付けて使用されることがある。その場合、左右方向の角度を調整することを可能にするため、通常は、図８に示されるように、薄型テレビ１の背面中央部分に、回転軸を垂直としたヒンジ２が取り付けられる。このヒンジ２の大きさの分、薄型テレビ１の背面から壁面Ｗまでには、ｈの間隔が形成され、図９に示されるように、間隔ｈによって、薄型テレビ１の左右方向角度調整の範囲が決められてしまう。すなわち、間隔ｈが大きい程、角度調整の範囲が大きくなる。ここで、ユーザ側からすると、左右方向の角度調整範囲が大きいことの方が好ましいが、そのためこの間隔ｈを大きくすると、薄型テレビの厚みが薄いという特徴を損なうことになり、無制限に大きくすることはできなかった。
【０００３】
そこで、間隔ｈを大きくすることなく、左右の角度調整範囲を大きくできる機構として、特許文献１に記載の「表示装置の壁掛け装置」が提案されている。これは機械的に着脱が可能なヒンジを表示装置の背面両側に設けたもので、壁との間隔を大きくすることなく、左右の角度調整範囲を大きくすることができる。
【特許文献１】特開２００４−１２７７３号公報
【発明の開示】
【発明が解決しようとする課題】
【０００４】
しかしながら、上述した特許文献１に記載の「表示装置の壁掛け装置」は、機械的に動作させる構造であるため、部品点数が多くなり、重量も大きくなる欠点があった。また、軸と軸受部分の係合にスプリングを使用しているため、経年変化により、ばね力が弱くなり、係合が不完全になるおそれもあった。そこで、本発明は、構造を簡単にして、部品点数を少なく軽量化するとともに、動作が確実な左右方向角度調整機構を備えた壁掛けテレビを提案することを目的とした。
【課題を解決するための手段】
【０００５】
上記課題を解決するために、本発明は、本体背面の左右端に、回転軸方向を垂直にして、断面略円形であって一端にブラケット部を備えた軸部と、該軸部に合致する略半円範囲の軸受け部とからなるヒンジを備え、前記軸部と軸受け部の両方を磁石とし、または前記軸部と軸受け部の一方を磁石とし他方を磁性金属として着脱自在とし、前記ヒンジを介して本体を壁面に取り付けることを特徴とした。ここで、前記ヒンジは、本体背面の左右端それぞれの上部と下部に回転軸を一致させて配設する。また、前記ヒンジの本体側と反対に位置する前記軸部または前記軸受け部に、壁面に当接して固定されるベース板を一体的に取り付けることも可能である。さらに、前記軸受け部の上端または下端に、前記軸部からのスラスト荷重を受ける盲板を設けることも可能である。
【発明の効果】
【０００６】
以上述べたように本発明によれば、本体背面の左右両端に、磁石により着脱を可能にしたヒンジを設けたことで、部品点数が少なく、左右方向の角度調整の操作が容易な壁掛けテレビを得ることが可能となる。
【発明を実施するための最良の形態】
【０００７】
以下、図に基づいて本発明の実施形態を説明する。図１は本発明に係る壁掛けテレビの第１の実施形態を示す平面図であり、図２は図１の壁掛けテレビをヒンジ部で分解したときの軸受部側の斜視図であり、図３は図１の壁掛けテレビをヒンジ部で分解したときの軸部側の斜視図である。これらの図において、３は壁に取り付けるためのベース板であり、テレビ本体４と略同じ大きさである。ベース板３には、図示していないが、壁に取り付けるためのビス孔が形成されている。ベース板３の前面の四隅近くには、断面半円弓状に形成された鋼材からなる軸受部１５，２５，３５，４５が立設されている。軸受部１５，２５，３５，４５は、ベース板３にブラケット１６，２６，３６，４６を介して、一体的接続されている。
【０００８】
他方、テレビ本体４の背面の四隅近くには、磁石からなる円柱状の軸部１７，２７，３７，４７が立設されている。軸部１７，２７，３７，４７は、テレビ本体４にブラケット１８，２８，３８，４８を介して、一体的接続されている。ここで、軸部１７，２７，３７，４７は、ベース板３側の軸受部５に対応した位置であるとともに、軸部１７，２７，３７，４７を軸受部１５，２５，３５，４５に嵌合することが可能である。また、軸部１７，２７，３７，４７を軸受部１５，２５，３５，４５に嵌合した状態で、左端側の上と下の軸部１７，２７と軸受部１５，２５の回転軸が一致する位置関係である。同様に、右端側の上と下の軸部３７，４７と軸受部３５，４５の回転軸が一致する位置関係である。これら、磁石からなる軸部１７，２７，３７，４７と、鋼材からなる軸受部１５，２５，３５，４を嵌合させると、機械的に凹凸部が嵌合されるとともに、磁石の吸着力により、互いに吸着されて、ヒンジとして機能し、テレビ本体４の自重がベース板３に保持される。
【０００９】
次に、使用方法および動作について説明する。図４および図５は使用状態を示す平面図である。４個の軸部と軸受部が嵌合吸着された状態が図４に示される状態である。この状態では、テレビ本体４とベース板３が平行、つまりテレビ本体４は壁面Ｗと平行に保持されて安定している。テレビ本体４を正面から見る場合に適している。ここで、テレビ本体４を左前方から見ようとした場合は、テレビ本体４の右端に手をかけて、手前に引き寄せる。すると、右側の軸部３７，４７が、軸受部３５，４５から離間し、左端側を支点にして、回動し、適当な角度に調整することができる。その状態が図５の（ａ）に示されている。軸部１７，２７と軸受部１５，２５は、磁力により吸着されているので、その吸着面の摩擦力により、調整された角度に保持される。
【００１０】
次に、テレビ本体４を右前方から見ようとした場合は、テレビ本体４の左端に手をかけて、手前に引き寄せる。すると、左側の軸部１７，２７が、軸受部１５，２５から離間し、右端側を支点にして、回動し、適当な角度に調整することができる。その状態が図５の（ｂ）に示されている。軸部３７，４７と軸受部３５，４５は、磁力により吸着されているので、その吸着面の摩擦力により、調整された角度に保持される。なお、上述した実施形態では、軸部１７，２７，３７，４７を磁石として、軸受部１５，２５，３５，４５を鋼材としたが、磁石部分と鋼材部分を入れ換えて構成することも可能であり、両方をともに磁石に構成することも可能である。特に、両方を磁石にするとより強力に吸着させることが可能となる。なお、磁石に吸着される軸受部は、鋼材以外に、ニッケル、コバルト、またはそれらの合金等の磁性金属としても良い。また、上述した実施形態では、ベース板３に軸受部１５，２５，３５，４５を設け、テレビ本体４に軸部１７，２７，３７，４７を設けているが、その反対の組み合わせにすることも可能である。
【００１１】
次に、軸受部の第２の実施形態について説明する。図６は第２の実施形態の軸受部の縦断面図であり、図７は軸受部の平面図である。上述した第１の実施形態では、軸受部に発生するスラスト荷重を磁石の吸着力で支持していた。そのため、何回も着脱および回動を繰り返した場合、軸部側がテレビ本体４の自重でずり落ちることがある。そこで、その対策として、第２の実施形態では、機械的にスラスト荷重を支えられるようにした。すなわち、図６および図７に示されるように、軸受部５５の内側底面部分に盲板５７を、軸受部５５およびブラケット５６と一体に形成したものである。それにより、図示しない軸部が、軸受部５５の内側に嵌合・吸着されると、その軸部の下端が盲板５７の上面に当接し、軸部のスラスト荷重が、機械的に、盲板５７に支持されることになる。なお、図示例は、軸受部５５がベース板３に設置されている場合である。その反対に、軸受部５５がテレビ本体側に設置される場合は、スラスト荷重の方向が反転するため、盲板５７は軸受部５５の上端に設けることになる。
【００１２】
なお、上述した各実施形態では、軸受部の内径を軸部の外径より大きくして、軸の回動を円滑にしているが、吸着面積を大きくするため軸受部の内径と軸部の外径を同一にして密着させる場合は、軸受部の角度範囲は、抜き差しを可能にするため、最大で半円となる。さらに、本実施形態では、軸受部と軸部を上下２ヶ所の対として左右に取り付けているが、左右各１ヶ所での対応でも良い。
【図面の簡単な説明】
【００１３】
【図１】本発明に係る壁掛けテレビの第１の実施形態を示す平面図である。
【図２】図１の壁掛けテレビをヒンジ部で分解したときの軸受部側の斜視図である。
【図３】図１の壁掛けテレビをヒンジ部で分解したときの軸部側の斜視図である。
【図４】第１の実施形態の使用状態を示す平面図である。
【図５】第１の実施形態の使用状態を示す平面図である。
【図６】第２の実施形態の軸受部の縦断面図である。
【図７】第２の実施形態の軸受部の平面図である。
【図８】従来例の平面図である。
【図９】従来例の平面図である。
【符号の説明】
【００１４】
３  ベース板
４  テレビ本体
１５  軸受部
１６  ブラケット
１７  軸部
１８  ブラケット
２５  軸受部
２６  ブラケット
２７  軸部
２８  ブラケット
３５  軸受部
３６  ブラケット
３７  軸部
３８  ブラケット
４５  軸受部
４６  ブラケット
４７  軸部
４８  ブラケット
５５  軸受部
５６  ブラケット
５７  盲板
Ｗ  壁面
【図１】
2007335929.tif 000003
【図２】
2007335929.tif 000004
【図３】
2007335929.tif 000005
【図４】
2007335929.tif 000006
【図５】
2007335929.tif 000007
【図６】
2007335929.tif 000008
【図７】
2007335929.tif 000009
【図８】
2007335929.tif 000010
【図９】
2007335929.tif 000011